(57)【要約】【課題】  複数の記録媒体に記録された画像に対して画像処理を行う前に、その記録内容を確認する。【解決手段】  ２つの記録媒体（ＳＤ、ＣＦ）にそれぞれ、共通の静止画像を同じコマ番号を付して記録する。モニタに静止画像を表示する。２つの記録媒体から同じコマ番号（フォルダ番号・ファイル番号（100-0001））を付された２つの画像を読み出し、モニタの画面に同時に表示する。表示された２つの画像から、例えば消去等の画像処理を施すべき画像を選択する（Ｂ１）。【選択図】        図４
2006339766.tif 000002
【特許請求の範囲】
【請求項１】
着脱自在に取付けられる複数の記録媒体にそれぞれ、共通の静止画像を同じコマ番号を付して記録することができる画像記録装置であって、
画像を表示するためのモニタと、
前記複数の記録媒体から読み出され、かつ同じコマ番号を付された複数の画像を前記モニタの画面に同時に表示する画像表示手段と、
前記画像表示手段によって表示された前記複数の画像から所定の画像処理を施すべき画像を選択する画像選択手段と
を備えることを特徴とする画像記録装置。
【請求項２】
前記複数の記録媒体の各々において、画像が異なるフォーマットで記録可能であり、前記画像表示手段が前記モニタの画面において、異なるフォーマットで記録された画像も表示することを特徴とする請求項１に記載の画像記録装置。
【請求項３】
前記複数の記録媒体の各々において、画像のフォーマットが生データおよび圧縮データとして記録可能であることを特徴とする請求項２に記載の画像記録装置。
【請求項４】
前記画像選択手段が、前記所定の画像処理を施すべき画像を、１つずつ選択することを特徴とする請求項１に記載の画像記録装置。
【請求項５】
前記画像選択手段が、前記所定の画像処理を施すべき画像を、前記記録媒体を指定することによって選択することを特徴とする請求項１に記載の画像記録装置。
【請求項６】
前記画像選択手段が、前記所定の画像処理を施すべき画像を、前記フォーマットを指定することによって選択することを特徴とする請求項２に記載の画像記録装置。
【請求項７】
前記画像選択手段が、前記モニタに表示された全ての画像を一括して、前記所定の画像処理を施すべき画像として選択することを特徴とする請求項１に記載の画像記録装置。
【請求項８】
前記画像選択手段が、前記複数の画像に対して、異なる画像処理を施すように選択することを特徴とする請求項１に記載の画像記録装置。
【請求項９】
前記画像表示手段が、前記複数の画像を同時に表示するとき、直前に表示していた画像を他の画像から識別できるように表示することを特徴とする請求項１に記載の画像記録装置。
【請求項１０】
前記画像表示手段が、前記複数の画像を、前記記録媒体の種類に応じて第１方向に配列し、かつ記録フォーマットの種類に応じて第２方向に配列して、マトリクス状に表示することを特徴とする請求項１に記載の画像記録装置。
【請求項１１】
記録媒体および内蔵メモリにそれぞれ、共通の静止画像を同じコマ番号を付して記録することができる画像記録装置であって、
画像を表示するためのモニタと、
前記記録媒体および内蔵メモリから読み出され、かつ同じコマ番号を付された複数の画像を前記モニタの画面に同時に表示する画像表示手段と、
前記画像表示手段によって表示された前記複数の画像から所定の画像処理を施すべき画像を選択する画像選択手段と
を備えることを特徴とする画像記録装置。
【請求項１２】
内蔵メモリの複数の記録領域にそれぞれ、共通の静止画像を同じコマ番号を付して記録することができる画像記録装置であって、
画像を表示するためのモニタと、
前記複数の記録領域から読み出され、かつ同じコマ番号を付された複数の画像を前記モニタの画面に同時に表示する画像表示手段と、
前記画像表示手段によって表示された前記複数の画像から所定の画像処理を施すべき画像を選択する画像選択手段と
を備えることを特徴とする画像記録装置。
【発明の詳細な説明】
【技術分野】
【０００１】
本発明は、複数の記録媒体に同時に共通の静止画像を記録することができる画像記録装置に関する。
【背景技術】
【０００２】
従来、ＣＦカードやＳＤカード等の２つの記録媒体を着脱自在に取付けることができるデジタルカメラが提案されている。２つの記録媒体を使用するのは主にバックアップのためであり、各記録媒体には、撮影動作によって得られた１つの静止画像が同時に記録可能である。これらの記録媒体は別個に利用可能であり、例えば、一方の記録媒体のみをパソコン等に取付けて画像処理を施すことも自由にできる。また、これらの記録媒体は常に同じもの同士が組み合わされて使用されるとは限らず、例えば、今まで別々に使用されてきた２つの記録媒体を１つのデジタルカメラに取付けることもできる。
【発明の開示】
【発明が解決しようとする課題】
【０００３】
従来のデジタルカメラでは、２つの記録媒体を取付けた状態において、共通のフォルダ番号・ファイル番号を有する画像に対して同時に消去等の操作を行うことができる。すなわち２つの画像において、フォルダ番号・ファイル番号が同じであれば、同時に記録されたものであると見なしている。しかし実際には、別のデジタルカメラで使用した記録媒体を混在させて使用した場合、フォルダ番号・ファイル番号が同じであって、それらの画像が異なる場合が生じる恐れがあるが、操作の前に確認することはできない。
【０００４】
本発明は、複数の記録媒体に記録された画像に対して画像処理を行う前に、その記録内容を確認することにより、誤った画像処理の実行を防止することを目的としている。
【課題を解決するための手段】
【０００５】
本発明に係る第１の画像記録装置は、着脱自在に取付けられる複数の記録媒体にそれぞれ、共通の静止画像を同じコマ番号を付して記録することができる画像記録装置であって、画像を表示するためのモニタと、複数の記録媒体から読み出され、かつ同じコマ番号を付された複数の画像をモニタの画面に同時に表示する画像表示手段と、画像表示手段によって表示された複数の画像から所定の画像処理を施すべき画像を選択する画像選択手段とを備えることを特徴としている。
【０００６】
複数の記録媒体の各々において、画像が異なるフォーマットで記録可能である場合には、画像表示手段はモニタの画面において、異なるフォーマットで記録された画像も表示することが好ましい。この場合、画像選択手段は、所定の画像処理を施すべき画像を、フォーマットを指定することによって選択してもよい。なお、画像のフォーマットの種類として、生データおよび圧縮データがある。
【０００７】
画像選択手段は、所定の画像処理を施すべき画像を、１つずつ選択してもよい。また画像選択手段は、所定の画像処理を施すべき画像を、記録媒体を指定することによって選択してもよい。さらに画像選択手段は、モニタに表示された全ての画像を一括して、所定の画像処理を施すべき画像として選択してもよい。また画像選択手段は、複数の画像に対して、異なる画像処理を施すように選択してもよい。
【０００８】
画像表示手段は、複数の画像を同時に表示するとき、直前に表示していた画像を他の画像から識別できるように表示することが好ましい。また画像表示手段が、複数の画像を、記録媒体の種類に応じて第１方向に配列し、かつ記録フォーマットの種類に応じて第２方向に配列して、マトリクス状に表示することが好ましい。
【０００９】
本発明に係る第２の画像記録装置は、記録媒体および内蔵メモリにそれぞれ、共通の静止画像を同じコマ番号を付して記録することができる画像記録装置であって、画像を表示するためのモニタと、記録媒体および内蔵メモリから読み出され、かつ同じコマ番号を付された複数の画像を前記モニタの画面に同時に表示する画像表示手段と、画像表示手段によって表示された複数の画像から所定の画像処理を施すべき画像を選択する画像選択手段とを備えることを特徴としている。
【００１０】
本発明に係る第３の画像記録装置は、内蔵メモリの複数の記録領域にそれぞれ、共通の静止画像を同じコマ番号を付して記録することができる画像記録装置であって、画像を表示するためのモニタと、複数の記録領域から読み出され、かつ同じコマ番号を付された複数の画像をモニタの画面に同時に表示する画像表示手段と、画像表示手段によって表示された複数の画像から所定の画像処理を施すべき画像を選択する画像選択手段とを備えることを特徴としている。
【発明の効果】
【００１１】
本発明によれば、複数の記録媒体に記録された画像に対して画像処理を行う前に、その記録内容を確認することにより、誤った画像処理の実行を防止することができる。
【発明を実施するための最良の形態】
【００１２】
以下、本発明の実施の形態を、図面を参照して説明する。
図１は、本発明の実施形態である画像記録装置を適用したデジタルカメラの構成を概略的に示すブロック図である。
【００１３】
撮影光学系１０の光軸上に設けられる撮像素子１１は例えばＣＣＤである。撮像素子１１では、その受光面に結像された被写体像に応じてアナログの画像信号が発生し、この画像信号は図示しないＡＤ変換器によってデジタル形式の画像データに変換され、画像処理回路１２に入力される。
【００１４】
画像処理回路１２はＣＰＵ１３によって制御される。すなわち画像データは、いったん作業メモリ１４に格納され、読み出されて、例えばＪＰＥＧに準拠した圧縮処理等の画像処理が施される。画像処理を受けていない生データと圧縮処理された画像データは、共に、第１の記録媒体（ＳＤカード）１５と第２の記録媒体（ＣＦカード）１６に記録可能である。
【００１５】
また画像処理回路１２に入力された画像データは、画像処理を施された後、ＬＣＤモニタ１７に入力され、これによりモニタ１７では、被写体が動画として表示される。
【００１６】
記録媒体１５、１６への記録、あるいはモニタ１７における動画の表示等の動作を実行するため、画像処理回路１２には種々のスイッチを備えた操作部材１８が接続されている。
【００１７】
図２はデジタルカメラの背面の構成を示す図である。カメラ本体２０の上面にはファインダ２１が設けられている。カメラ本体２０の背面において、ファインダ２１の下側には、画像あるいはメニュー等を表示するためのＬＣＤモニタ１７が設けられている。ＬＣＤモニタ１７の左側には、消去釦２３、再生釦２４等が配設されている。消去釦２３を押すことによって、記録媒体１５、１６に記録された画像データを消去することができる。また再生釦２４を押すことによって、記録媒体１５、１６に記録された画像データから静止画像を、ＬＣＤモニタ１７上において再生することができる。
【００１８】
ＬＣＤモニタ１７の右側には、上釦３１、下釦３２、右釦３３、左釦３４、決定釦３５、実行釦３６が設けられる。これらの釦の使用方法については後述する。
【００１９】
図３と図４を参照して、第１の記録媒体（ＳＤカード）１５と第２の記録媒体（ＣＦカード）１６に記録された画像データを同時表示モードで表示したときの一例を説明する。記録媒体１５、１６はカメラ本体２０に着脱自在に取付けられ、１回の撮影動作により共通の静止画像が、フォルダ番号・ファイル番号によって特定される記録領域に記録される。フォルダ番号・ファイル番号は階層構造の形式で構成され、１つのフォルダ番号の下の階層に多数のファイル番号が存在する。すなわちフォルダ番号・ファイル番号により、１つの画像に対応する「コマ番号」が定義され、１回の撮影動作によって、共通の静止画像が２つの記録媒体１５、１６において同じコマ番号を付して記録される。
【００２０】
記録媒体１５、１６の各記録領域には、圧縮処理されたデータ（ＪＰＥＧ）と生データ（ＲＡＷ）が記録可能である。図３と図４は、各記録媒体１５、１６に圧縮処理データと生データを記録した場合を示している。すなわち記録媒体１５、１６において、共にフォルダ番号が「１００」でファイル番号が「０００１」である記録領域に、圧縮処理データと生データが記録されており、また、第１の記録媒体（ＳＤカード）１５に記録されている画像（シーンＡ）と第２の記録媒体（ＣＦカード）１６に記録されている画像（シーンＢ）とは異なっている。これは、記録媒体１５、１６が同時に使用されたのではなく、別々に使用されて異なる画像データが記録されている場合である。
【００２１】
図４は、同時表示モードにおいて画像を消去しようとする場合におけるＬＣＤモニタ１７の画面を示し、画面の左上には、現在消去動作が設定されていることを示すアイコンＭ１が表示されている。また、ＣＦカードに記録された生データに対応する画像の左上のチェックボックスＢ１にはチェックマークが付されているが、これは、この画像データを消去しようとしていることを示す。
【００２２】
図５は、同時表示モードにおいて消去すべき画像データを選択するときの画面を示している。符号（ａ）は単独選択モード、すなわち消去すべき画像データを１つずつ個別に選択するモードを示し、図示例はＣＦカードに記録された生データを消去しようとする状態である。符号（ｂ）は画像種類選択モード、すなわち消去すべき画像データをタイプ（フォーマット）を指定することによって選択するモードを示し、図示例は圧縮処理データ（ＪＰＥＧフォーマットの画像データ）を消去しようとする状態である。符号（ｃ）はメディア選択モード、すなわち消去すべき画像データを記録媒体を指定することによって選択するモードを示し、図示例はＣＦカードに記録された画像データを消去しようとする状態である。符号（ｄ）は全部選択モード、すなわち表示された全ての画像を一括して選択するモードを示している。符号（ｅ）は複数の画像データに対して異なる画像処理をまとめて行うモードを示し、図示例はＣＦカードに記録された生データを消去するとともに、ＳＤカードとＣＦカードに記録された圧縮処理データに対するプロテクト、すなわち読取専用にする状態を示している。なお、ＳＤカードの圧縮処理データ（すなわち符号（ｅ）の画面において左上の画像）に対してはプロテクトと同時に回転処理（例えば時計周りに９０°回転）を施して表示している。
【００２３】
なお、ＣＦカードに記録された圧縮処理データと生データに対応した画像は、図５（ａ）〜（ｅ）の各表示画面における右側に配列され、またＳＤカードに記録された圧縮処理データと生データに対応した画像は、図（ａ）〜（ｅ）の各表示画面における左側に配列される。すなわち各画像は、記録媒体の種類に応じて第１方向（左右方向）に配列表示されている。また各画像は、記録フォーマットの種類（すなわち圧縮処理データと生データ）に応じて第２方向（上下方向）に配列表示されている。このように、記録媒体の種類と記録フォーマットとに基づいて、画像をマトリクス状に表示しているので、ユーザーは、複数の記録媒体に記録されている画像の状態を視覚的に容易に把握することができる。
【００２４】
図６は、同時表示モードに移行した直後におけるモニタ１７の画面の表示例を示している。すなわち、同時表示モードに移行する前は通常の単画面表示モードであり、モニタ１７の画面には１つの画像のみが表示されている。同時表示モードでは、２つの記録媒体１５、１６に記録された複数の画像を同時に表示するため、これらの画像のうちどれが直前に表示されていた画像であったのかが分かりにくいことがある。そこで本実施形態では、同時表示モードに移行したときに、その直前の画像を他の画像から識別できるように表示している。
【００２５】
符号（ａ）は、直前に表示されていた画像Ｐ１を他の画像よりも拡大して表示する例である。符号（ｂ）は、直前に表示されていた画像の枠Ｗ１に色をつける例である。符号（ｃ）は、直前に表示されていた画像のチェックボックスＢ２に色をつける例である。
【００２６】
次に図７〜図１５を参照して同時表示モードの動作を説明する。
図７は同時表示モードのフローチャートを示している。同時表示モードでは、例えば図４に示すように、２つの記録媒体１５、１６に記録された画像データ、すなわち複数の画像を同時に表示し、所望の画像のみに所定の処理（例えば消去、プロテクト、回転等の画像処理）を施すことができる。なお、ここでは消去動作を実行する場合を例にとって説明する。
【００２７】
ステップ１０１では画像検索表示処理が実行される。画像検索表示処理では、図９を参照して後述するように、２つの記録媒体１５、１６に記録された画像が検索され、１つの画面に複数の画像が表示される。なお、ステップ１０１の処理が完了した時点では、画像のみが表示されており、文字、アイコン、チェックボックス、画像枠等はまだ表示されていない。
【００２８】
ステップ１０２では、グループ選択の初期値が設定される。グループ選択とは、消去動作等の処理を行う画像のグループを選択するモードを意味し、図５に示すように本実施形態では５つのモードがあるが（図５（ａ）〜（ｅ））、ここでは単独選択モードと画像種類選択モードを説明する。ステップ１０２における初期設定では、デフォルトである単独選択モードが設定される。
【００２９】
ステップ１０３ではユーザ／インターフェース（ＵＩ）リソース表示が行われる。ＵＩリソースとは、モニタ１７の画面に表示される画像Ｐ１以外の表示内容、すなわちアイコンＭ１、文字、チェックボックスＢ１、Ｂ２、画像枠Ｗ１等である。ステップ１０４では、モニタ１７の画面においてグループ選択のモードを示す文字が選択枠Ｓ１によって囲まれる。ステップ１０３、１０４の実行により、モニタ１７の画面は、図８に示すように画像Ｐ１とアイコンＭ１等が表示される状態になる。
【００３０】
ステップ１０５では待機状態に設定される。この状態で、上釦３１、下釦３２、右釦３３、左釦３４、決定釦３５、実行釦３６のいずれかが押されると、ステップ１０６へ進む。ステップ１０６では押下された釦が決定釦３５であるか否かが判定され、決定釦３５であるときはグループ選択のサブルーチン（図１０）が実行される。決定釦３５が押下されていないと判定されたときはステップ１０７へ進み、下釦３１が押下されたか否かが判定される。下釦３１が押下されたときは操作対象画像選択のサブルーチン（図１２、図１４）が実行される。下釦３１が押下されていないと判定されたとき、ステップ１０８へ進み、実行釦３６が押下されたか否かが判定される。実行釦３６が押下されたときは、そのとき設定されている処理が実行される。実行釦３６が押下されていないと判定されたときはステップ１０５へ戻る。
【００３１】
図９は、図７のステップ１０１において実行される画像検索表示処理のフローチャートである。ステップ１１０では記録媒体の準備、すなわち記録媒体に関するファイルシステムの初期化が行われ、これにより、記録媒体に記録された画像データ等が読み出せる状態になる。
【００３２】
ステップ１１１では画像検索処理が実行される。画像検索処理に先立って、上釦３１、下釦３２等を用いてフォルダ番号・ファイル番号（すなわちコマ番号）が選択されており、ステップ１１１では、そのコマ番号に対応した画像データが検索される。ステップ１１２では、コマ番号に対応した画像データが検出されたか否かが判定される。検出されたとき、ステップ１１３へ進み、記録媒体から画像データが読み出される。ステップ１１４では、画像データに対して画像デコード・成形処理が実行され、モニタ１７の画面における所定の領域に画像を表示するための処理が行われる。ステップ１１５では、ステップ１１４の処理結果に従って画像が表示され、ステップ１１３において読み出された画像データに対応した１枚の画像がモニタ１７の画面に表示される。
【００３３】
ステップ１１６では、画像検索が終了したか否かが判定される。画像検索は、同じフォルダ番号・ファイル番号の画像データがなくなるまで実行され、例えば図８に示すように、同じフォルダ番号・ファイル番号に圧縮画像データと生データが記録されている場合には２回実行される。例えば、最初に圧縮画像データが読み出されたとすると、ステップ１１６からステップ１１１へ戻り、次は生データに関して、ステップ１１１〜１１６から成るループが実行され、生データに対応した画像が表示される。
【００３４】
ステップ１１６において画像検索が終了したと判定されると、ステップ１１７において、全ての記録媒体について画像検索が終了したか否かが判定される。２つの記録媒体が取付けられている場合、初めてステップ１１７が実行されるときは、まだ１つの記録媒体のみについてしか画像検索が終了していないので、ステップ１１０へ戻る。すなわち他方の記録媒体について、ステップ１１０以降の処理が実行され、圧縮画像データと生データに対応した画像がそれぞれ表示される。
【００３５】
図１０は、図７のステップ１０６において決定釦３５が押下されたと判定されたときに実行されるグループ選択のサブルーチンのフローチャートである。図１１は、グループ選択におけるモニタ１７の表示画面を示している。
【００３６】
ステップ２０１では、モニタ１７の画面において、グループ選択のモードを示す文字に矢印が表示される。上述したように図７のステップ１０２の実行により、デフォルトである単独選択モードが設定され、画面の上方には単独選択モードを示す「Single」の文字が表示されており、またステップ１０４の実行により、「Single」の文字は選択枠Ｓ１によって囲まれている。ステップ２０１では、「Single」の文字の上下にそれぞれ矢印Ａ１、Ａ２が表示される（図１１（ａ）参照）。
【００３７】
ステップ２０２では、選択操作の待機状態となる。上釦３１、下釦３２、および決定釦３５のいずれかが押下されると、ステップ２０３へ進む。ステップ２０３では下釦３２が押下されたか否かが判定される。下釦３２が押下されたとき、ステップ２０４が実行され、グループ選択が次のモードに変更される。本実施形態では、単独選択モードの次に画像種類選択モードが選択可能になるように定められている。したがってステップ２０４では、画像種類選択モードに変更され、ステップ２０５において、画像種類選択モードに対応したＵＩ描画が行われる。すなわち、図７のステップ１０３と同様にして、画像種類選択モードに対応したＵＩリソースが表示される。これによりモニタ１７の画面は図１１（ｂ）に示す状態となり、選択枠Ｓ１の中は画像種類選択モードを示す「Image Type」の文字に変更され、また画像種類選択モードに対応したチェックボックスＢ３、Ｂ４が表示される。
【００３８】
ステップ２０５の実行の後、ステップ２０２へ戻り、上述した動作が再び実行される。ここで、また下釦３２が押下されると、ステップ２０４では、画像種類選択モードからメディア選択モードに変更される。そしてステップ２０５の実行により、モニタ１７の画面は図１１（ｃ）に示す状態となり、選択枠Ｓ１の中はメディア選択モードを示す「Card」の文字に変更され、またメディア選択モードに対応したチェックボックスＢ５、Ｂ６が表示される。
【００３９】
これに対し、ステップ２０３において下釦３２が押下されていないと判定されたときは、ステップ２０６へ進み、上釦３１が押下されたか否かが判定される。上釦３１が押下されたとき、ステップ２０７が実行され、グループ選択が前のモードに変更される。例えば画像種類選択モードが選択されているときは単独選択モードに変更され、ステップ２０５において、単独選択モードに対応したＵＩ描画が行われる。すなわち、図１１（ｂ）に示す状態から図１１（ａ）に示す状態に変更される。
【００４０】
ステップ２０６において上釦３１が押下されていないと判定されたときは、ステップ２０８へ進み、決定釦３５が押下されたか否かが判定される。決定釦３５が押下されたとき、ステップ２０９が実行され、そのとき定められているグループ選択のモードが画像処理されるモードとして決定される。これによりグループ選択のサブルーチンは待機状態に定められ、これは図７のステップ１０５と同じ状態である。これに対し、ステップ２０８において決定釦３５が押下されていないと判定されたときは、ステップ２０２へ戻って上述した動作が行われる。
【００４１】
グループ選択のモードが決定されて待機状態にあるとき、下釦３２が押下されると、待機状態が解除されて、図７のステップ１０５からステップ１０６、１０７の順に進み、操作対象画像選択のサブルーチンが実行される。
【００４２】
図１２は、単独選択モードが選択されている状態において、図７のステップ１０７において下釦３２が押下されたと判定されたときに実行される操作対象画像選択のサブルーチンのフローチャートである。図１３は、単独選択モードにおいて操作対象画像選択を実行するときのモニタ１７の表示画面を示している。
【００４３】
ステップ３０１では、下釦３２が押下されたことに対応して、画面に表示されている選択枠Ｓ１が、グループ選択のモードを示す文字から画像枠を囲むように変更される。本実施形態では、まず、ＳＤカードの圧縮画像データに対応した画像の画像枠Ｗ１を囲むように変更される（図１３（ａ））。ステップ３０２では選択操作の待機状態となる。
【００４４】
上釦３１、下釦３２等のいずれかの釦が押下されると、ステップ３０３へ進む。ステップ３０３において、上釦３１、下釦３２、右釦３３、および左釦３４のいずれかが押下されたと判定されたとき、ステップ３０１へ戻り、選択枠Ｓ１が押下された釦に対応した方向へ移動する。例えば図１３（ａ）に示す状態において下釦３２が押下された場合、図１３（ｂ）に示すように選択枠Ｓ１はＳＤカードの生データに対応した画像の位置に変更される。この状態において右釦３３が押下されると、図１３（ｃ）に示すように選択枠Ｓ１はＣＦカードの生データに対応した画像の位置に変更される。
【００４５】
このようにしていずれかの画像が選択され、決定釦３５が押下されると、ステップ３０３、３０４、３０５の順に実行される。すなわちステップ３０５において、選択処理が実行され、そのとき選択されている画像が画像処理される画像として決定される。決定された画像に表示されたチェックボックスには、チェックマークが付される（図１３（ｄ）参照）。ステップ３０５の後、ステップ３０２へ戻り、上釦３１、下釦３２等のいずれかの釦が押下されるまで待機する。
【００４６】
ここで上釦３１、下釦３２等のいずれかの釦が押下されると、その釦に対応して、再びステップ３０１あるいはステップ３０５が実行されるが、実行釦３６が押下されたときは、ステップ３０３、３０４、３０６の順に進み、所定の画像処理が実行される。上釦３１、下釦３２、右釦３３、左釦３４、決定釦３５、および実行釦３６以外の釦が押下されたときは、ステップ３０２へ戻る。
【００４７】
図１２のステップ３０６あるいは図７のステップ１０８において実行釦３６が押下されたと判定されたとき、そのとき設定されている画像処理が実行される。本実施形態では画像の消去動作が実行され、例えば図１３（ｄ）に示す状態で実行釦３６が押下されると、ＣＦカードに記録された生データが消去される。
【００４８】
図１４は、画像種類選択モードが選択されている状態において、図７のステップ１０７において下釦３２が押下されたと判定されたときに実行される操作対象画像選択のサブルーチンのフローチャートである。図１５は、画像種類選択モードにおいて操作対象画像選択を実行するときのモニタ１７の表示画面を示している。
【００４９】
ステップ４０１では、下釦３２が押下されたことに対応して、画面に表示されている選択枠Ｓ１が、グループ選択のモードを示す文字から画像枠を囲むように変更される。本実施形態では、まず、ＳＤカードとＣＦカードの圧縮画像データに対応した２つの画像の画像枠Ｗ１、Ｗ２を囲むように変更される（図１５（ａ））。ステップ４０２では選択操作の待機状態となる。
【００５０】
上釦３１、下釦３２等のいずれかの釦が押下されると、ステップ４０３へ進む。ステップ４０３において、上釦３１および下釦３２のいずれかが押下されたと判定されたとき、ステップ４０１へ戻り、選択枠Ｓ１が押下された釦に対応した方向へ移動する。例えば図１５（ａ）に示す状態において下釦３２が押下された場合、図１５（ｂ）に示すように選択枠Ｓ１は、ＳＤカードとＣＦカードの生データに対応した２つの画像の位置に変更される。
【００５１】
このようにしていずれかの画像が選択され、決定釦３５が押下されると、ステップ４０３、４０４、４０５の順に実行される。すなわちステップ４０５において、選択処理が実行され、そのとき選択されている２つの画像が画像処理される画像として決定される。決定された２つの画像に対応したチェックボックスには、チェックマークが付される（図１５（ｃ）参照）。ステップ４０５の後、ステップ４０２へ戻り、上釦３１、下釦３２等のいずれかの釦が押下されるまで待機する。
【００５２】
ここで上釦３１、下釦３２等のいずれかの釦が押下されると、その釦に対応して、再びステップ４０１あるいはステップ４０５が実行されるが、実行釦３６が押下されたときは、ステップ４０３、４０４、４０６の順に進み、所定の画像処理（本実施形態では消去動作）が実行される。上釦３１、下釦３２、決定釦３５、および実行釦３６以外の釦が押下されたときはステップ４０２へ戻る。
【００５３】
図１４のステップ４０６において実行釦３６が押下されたと判定されたとき、消去動作が実行され、例えば図１５（ｃ）に示す状態で実行釦３６が押下されると、ＳＤカードとＣＦカードに記録された生データが同時に消去される。
【００５４】
以上のように本実施形態によれば、第１および第２の記録媒体１５、１６に記録された複数の画像に対して消去動作等の画像処理を行う前に、これらの画像の内容を確認することができ、誤った画像処理を実行することを防止できる。
【００５５】
なお上記実施形態は、着脱自在に取付けられる２つの記録媒体１５、１６にそれぞれ、共通の静止画像を記録するデジタルカメラである。しかし本発明は、このような構成に限定されず、着脱自在である記録媒体とデジタルカメラに設けられた内蔵メモリにそれぞれ同じ画像を記録できる画像記録装置にも適用可能であり、また内蔵メモリの複数の記録領域に画像を記録するようにそれぞれ同じ画像データを記録できる画像記録装置にも適用可能である。
【００５６】
また本発明において、２つの記録媒体等に記録された画像に対する画像処理は消去動作に限定されず、プロテクト（すなわち読取専用にするモード）であってもよく、また回転のように画像を移動させる処理等、通常行われる全ての画像処理を含む。
【００５７】
さらに、同じ画像が記録される記録媒体等の数は２に限定されず、３以上であってもよい。
【図面の簡単な説明】
【００５８】
【図１】本発明の実施形態である画像記録装置を適用したデジタルカメラの構成を概略的に示すブロック図である。
【図２】デジタルカメラの背面の構成を示す図である。
【図３】ＳＤカードとＣＦカードにおいて、同じフォルダ番号・ファイル番号に異なる画像データが記録されている状態を示す図である。
【図４】図３に対応する表示画面を示す図である。
【図５】同時表示モードにおいて、消去すべき画像データを選択するときのモニタの画面を示す図である。
【図６】同時表示モードに移行した直後におけるモニタの画面の表示例を示す図である。
【図７】同時表示モードのフローチャートである。
【図８】同時表示モードにおけるモニタの画面の一例を示す図である。
【図９】画像検索表示処理のフローチャートである。
【図１０】グループ選択のサブルーチンのフローチャートである。
【図１１】グループ選択におけるモニタの表示画面を示す図である。
【図１２】単独選択モードにおいて実行される操作対象画像選択のサブルーチンのフローチャートである。
【図１３】単独選択モードにおいて操作対象画像選択を実行するときのモニタの表示画面を示す図である。
【図１４】画像種類選択モードにおいて実行される操作対象画像選択のサブルーチンのフローチャートである。
【図１５】画像種類選択モードにおいて操作対象画像選択を実行するときのモニタの表示画面を示す図である。
【符号の説明】
【００５９】
１７  ＬＣＤモニタ
３１  上釦
３２  下釦
３３  右釦
３４  左釦
３５  決定釦
３６  実行釦
【図１】
2006339766.tif 000003
【図２】
2006339766.tif 000004
【図３】
2006339766.tif 000005
【図４】
2006339766.tif 000006
【図５】
2006339766.tif 000007
【図６】
2006339766.tif 000008
【図７】
2006339766.tif 000009
【図８】
2006339766.tif 000010
【図９】
2006339766.tif 000011
【図１０】
2006339766.tif 000012
【図１１】
2006339766.tif 000013
【図１２】
2006339766.tif 000014
【図１３】
2006339766.tif 000015
【図１４】
2006339766.tif 000016
【図１５】
2006339766.tif 000017